(57)【要約】【課題】各種光源下にて様々な交換レンズを用いても精度の高いＡＦ制御が可能であり、かつ特定の交換レンズを使用する場合のＡＦ処理を高速に行う。【解決手段】撮像装置１は、撮影光学系１１からの光を用いて焦点検出を行う焦点検出手段と、撮影光学系からの光を用いて光源を判別する光源判別手段３１と、焦点状態の検出結果と光源の判別結果を用いてフォーカス制御に関する情報を生成可能な制御手段１００とを有する。制御手段は、撮影光学系の色収差量に関する情報に応じて、光源の判別結果を用いた上記フォーカス制御に用いる情報の生成を制限する。【選択図】図２
2008129467.tif 000002
【特許請求の範囲】
【請求項１】
撮影光学系の焦点状態を検出する焦点検出手段と、
光源に関する情報を検出する光源検出手段と、
前記焦点状態の検出結果と前記光源に関する情報を用いてフォーカス制御に用いる情報を生成可能な制御手段とを有し、
前記制御手段は、前記撮影光学系の色収差量に関する情報に応じて、前記光源に関する情報を用いた前記フォーカス制御に用いる情報の生成を制限することを特徴とする撮像装置。
【請求項２】
前記制御手段は、前記色収差量が特定値よりも大きい場合は前記光源に関する情報と前記焦点状態の検出結果を用いて前記フォーカス制御に用いる情報を生成し、前記色収差量が前記特定値よりも小さい場合は前記光源に関する情報を用いずに前記焦点状態の検出結果を用いて前記フォーカス制御に用いる情報を生成することを特徴とする請求項１に記載の撮像装置。
【請求項３】
前記特定値は、撮影画像の解像度に応じた値であることを特徴とする請求項２に記載の撮像装置。
【請求項４】
前記特定値は、該撮像装置のフォーカスモードに応じた値であることを特徴とする請求項２に記載の撮像装置。
【請求項５】
請求項１から４のいずれか１つに記載の撮像装置と、
該撮像装置に対して着脱が可能であり、前記撮影光学系及び前記色収差量に関する情報を記憶した記憶手段を有するレンズ装置とを有することを特徴とする撮像システム。
【請求項６】
撮影光学系の焦点状態を検出するステップと、
光源に関する情報を検出するステップと、
前記焦点状態の検出結果と前記光源に関する情報を用いてフォーカス制御に用いる情報を生成可能な情報生成ステップとを有し、
前記情報生成ステップにおいて、前記撮影光学系の色収差量に関する情報に応じて、前記光源に関する情報を用いた前記フォーカス制御に用いる情報の生成を制限することを特徴とする撮像装置の制御方法。
【発明の詳細な説明】
【技術分野】
【０００１】
本発明は、フォーカス制御を行う撮像装置に関し、さらに詳しくは、光源に関する情報に応じてフォーカス制御を行う撮像装置に関する。
【背景技術】
【０００２】
デジタル一眼レフカメラ等の撮像装置のＡＦ（オートフォーカス）方式として、いわゆるＴＴＬ（Through The Lens）位相差検出方式がある。ＴＴＬ位相差検出方式を採用したカメラでは、撮影レンズから入射した光をミラー等の光分離部材で分離し、透過光を撮像系に反射光を焦点検出系に導く。このように、ＴＴＬ位相差検出方式のカメラでは、撮像系と焦点検出系とが別々に設けられている。このため、以下の問題が生じる。
【０００３】
撮像系の分光感度特性は、一般的な銀塩フィルムの場合では、人間の目の特性に合わせた色再現性を持たせるために、通常４００〜６５０ｎｍ程度の光に対してもっとも感度を有している。
【０００４】
一方、撮像系に用いられるＣＭＯＳセンサ等の撮像素子を構成するシリコンフォトダイオードは、一般的には８００ｎｍ程度に感度ピークを持っており、長波長側は１１００ｎｍ程度まで感度を持っている。ただし、色再現性を重視するために、感度を多少犠牲にして上記周波数範囲外の波長の光はフィルタで遮断する。
【０００５】
また、位相差検出方式による焦点検出を行うセンサとしての光電変換素子は、一般に１１００ｎｍ程度まで感度を持っている。ただし、低輝度被写体に対しても焦点検出が行え、また低輝度下でカメラから近赤外域（７００ｎｍ程度）の補助光を被写体に照射して正確な焦点検出が行えるように、１１００ｎｍよりさらに１００ｎｍ程度、長波長領域まで感度を有する場合が多い。
【０００６】
図８には、各種光源と撮像素子と補助光の分光感度を示す。横軸は波長を示す。また、縦軸は相対的エネルギー又はレンズの色収差による相対的なピント位置を示す。同図において、Ｃは撮影レンズの色収差、Ｂ，Ｇ，Ｒは原色型撮像素子の青画素、緑画素及び赤画素のそれぞれの分光感度を示す。Ｆは蛍光灯、Ｌはフラッドランプ、Ａは前述した補助光の分光感度を示す。
【０００７】
同図より、蛍光灯の波長成分としては、６２０ｎｍより長い波長成分はほとんど含まれていないが、フラッドランプは長波長側になるほど相対感度が強くなることが分かる。
【０００８】
一方、レンズの色収差Ｃは、波長に応じてピント位置が変わり、長波長側になると焦点距離が伸びる。
【０００９】
したがって、７００ｎｍに最大感度がある焦点検出センサを用いる場合には、長波長成分の少ない蛍光灯とフラッドランプでは、検出するピント位置が異なることになり、結果として撮像素子上でのピントもずれてしまう。
【００１０】
このように光源の分光感度に応じて焦点検出系による検出ピント位置がずれるという問題に対して、該ピント位置を補正するカメラが特許文献１により開示されている。
【００１１】
このカメラでは、分光感度の異なる２種類のセンサの出力を比較して光源の種類を判別し、ピント位置の補正を行うことにより、光源の分光特性によるピントずれを補正する。
【００１２】
また、特許文献２では、交換レンズの色収差量がレンズ内メモリに格納されており、光源の種類の判別結果に基づいて、所定の係数をレンズ色収差量に乗じてデフォーカス補正量を求める方法が開示されている。
【００１３】
さらに、特許文献３では、撮影レンズに記憶されている色収差量情報を取得してデフォーカス補正量を求める方法が開示されている。
【特許文献１】特開２０００−２７５５１２号公報(段落００４１〜０１１０、図３〜１０等)
【特許文献２】特開昭６２−１７４７１０号公報(６頁左上欄２行〜７頁左上欄３行、図９等)
【特許文献３】特開２００５−２０８３００号公報（段落０１４４〜０１５９、図１４等）
【発明の開示】
【発明が解決しようとする課題】
【００１４】
しかしながら、上記特許文献１にて開示されているカメラでは、色収差の補正量は固定値として扱われており、それをそのままレンズ交換式のオートフォーカスカメラに適用することはできない。これは、レンズの個体差によって色収差が異なる場合に、デフォーカス補正量に過不足が生じてしまうからである。
【００１５】
また、上記特許文献２，３では、交換レンズの色収差量に応じてデフォーカス補正量を求めている。しかしながら、本来光源によるデフォーカス補正の必要のない色収差が非常に小さな交換レンズの場合であっても、常に光源判別動作や補正量の演算を行うので、無駄な処理に時間を費やしてしまう。したがって、これをＡＦカメラに適用すると、光源判別動作や補正量演算のためにＡＦに関わる処理が遅くなり、レリーズタイムラグも大きくなる。
【００１６】
本発明は、各種光源下にて様々な交換レンズを用いても精度の高いＡＦ制御が可能であり、かつ特定の交換レンズを使用する場合のＡＦ処理を高速に行うことができるようにした撮像装置を提供することを目的の１つとしている。
【課題を解決するための手段】
【００１７】
本発明の一側面としての撮像装置は、撮影光学系の焦点状態を検出する焦点検出手段と、光源に関する情報を検出する光源検出手段と、焦点状態の検出結果と光源に関する情報を用いてフォーカス制御に関する情報を生成可能な制御手段とを有する。そして、制御手段は、撮影光学系の色収差量に関する情報に応じて、光源に関する情報を用いた上記フォーカス制御に用いる情報の生成を制限することを特徴とする。
【００１８】
なお、上記撮像装置と、該撮像装置に対して着脱が可能であり、撮影光学系を有するレンズ装置とを有する撮像システムも本発明の他の側面を構成する。
【００１９】
また、本発明の他の側面としての撮像装置の制御方法は、撮影光学系の焦点状態を検出するステップと、光源に関する情報を検出するステップと、焦点状態の検出結果と光源に関する情報を用いてフォーカス制御に用いる情報を生成可能な情報生成ステップとを有する。そして、情報生成ステップにおいて、撮影光学系の色収差量に関する情報に応じて、光源に関する情報を用いたフォーカス制御に用いる情報の生成を制限することを特徴とする。
【発明の効果】
【００２０】
本発明によれば、撮影光学系（交換レンズ）の色収差量に応じて、光源の判別結果を用いてフォーカス制御に用いる情報を生成するか否かを決定する。したがって、色収差に起因して生ずるフォーカス制御誤差が少ない交換レンズを用いる場合は、光源の判別結果を用いた上記情報の演算処理を省略でき、ＡＦに関わる処理を高速に行うことができる。その結果として、レリーズタイムラグを少なくすることができる。
【発明を実施するための最良の形態】
【００２１】
以下、本発明の好ましい実施例について図面を参照しながら説明する。
【００２２】
図１には、本発明の実施例である一眼レフレックスカメラシステム（撮像システム）を示している。該カメラシステムは、一眼レフカメラ（撮像装置）１と、該カメラ１に着脱可能に装着される交換レンズ（レンズ装置）１１とによって構成される。
【００２３】
同図において、カメラ１内には、光学部品、機械部品、電気回路及び撮像素子（又はフィルム）等が収納され、画像（又は写真）撮影を行うことができる。
【００２４】
２は主ミラーであり、ファインダ観察状態では撮影光路内に斜めに配置され、撮影状態では撮影光路外に退避する。また、主ミラー２はハーフミラーとなっており、撮影光路内に配置されているときは、後述する焦点検出光学系へ被写体からの光線の約半分を透過させる。
【００２５】
３はピント板であり、ファインダ光学系の一部を構成し、後述する撮影光学系の予定結像面に配置されている。４はファインダ光路変更用のペンタプリズムである。５はアイピースであり、撮影者はこの窓からピント板３を観察することで、被写体像を観察することができる。
【００２６】
６と７はファインダ観察画面内の被写体輝度を測定するための第１の結像レンズと測光センサである。３０と３１はファインダ観察画面内の被写体輝度を測定するための第２の結像レンズと光源検出回路である。
【００２７】
８はフォーカルプレンシャッタである。９は撮像素子であり、ＣＣＤセンサ又はＣＭＯＳセンサにより構成される。２５はサブミラーであり、主ミラー２とともにファインダ観察状態では撮影光路内に斜めに配置され、撮影状態では撮影光路外に退避する。このサブミラー２５は、撮影光路内に配置された主ミラー２を透過した光束を下方に折り曲げて、後述の焦点検出ユニットに導く。
【００２８】
２６は焦点検出ユニットであり、２次結像ミラー２７、２次結像レンズ２８、焦点検出センサ２９及び後述の焦点検出回路等から構成されている。２次結像ミラー２７及び２次結像レンズ２８は焦点検出光学系を構成し、撮影光学系の２次結像面を焦点検出センサ２９上に形成している。この焦点検出ユニット２６は、いわゆる位相差検出方式によって撮影光学系の焦点状態（位相差を持った画素情報）を検出し、その検出結果を後述するカメラマイクロコンピュータに送る。
【００２９】
１０はカメラ１と交換レンズ１１との通信インターフェイスとなるマウント接点群である。
【００３０】
１２〜１４はレンズユニットである。第１レンズユニット（以下、フォーカスレンズと記す）１２は、光軸上を移動することで焦点調節を行う。第２レンズユニット１３は、光軸上を移動することで撮影光学系の焦点距離を変更して変倍を行うものである。
【００３１】
１４は固定の第３レンズユニットである。１５は絞りである。１６はフォーカス駆動モータであり、ＡＦ時にフォーカスレンズ１２を光軸方向に移動させる。１７は絞り１５の開口径を変化させるための絞り駆動モータである。
【００３２】
１８は距離エンコーダであり、フォーカスレンズ１２に取り付けられたブラシ１９が摺動することで、該フォーカスレンズ１２の位置を読み取り、被写体距離に相当する信号を発生する。
【００３３】
次に、図２を用いて、上記カメラシステムの電気回路構成について説明する。なお、図１と共通の構成要素には同じ符号を付している。
【００３４】
まず、カメラ１内の回路構成について説明する。カメラマイクロコンピュータ１００には、焦点検出回路１０５、測光センサ７、光源検出回路３１、画像サイズ設定部１１２、ＡＦモード設定部１１３、シャッタ制御回路１０７、モータ制御回路１０８及び液晶表示回路１１１が接続されている。また、カメラマイクロコンピュータ１００は、交換レンズ１１内に配置されたレンズマイクロコンピュータ１５０とはマウント接点１０を介して通信を行う。
【００３５】
光源検出回路３１は、互いに分光感度の異なる（互いに異なる波長領域の光を検出する）可視光センサ３１１及び赤外光センサ３１２を有する。光源検出回路３１は、カメラマイクロコンピュータ１００からの信号に従って可視光センサ３１１及び赤外光センサ３１２の電荷蓄積制御と電荷読み出し制御を行う。そして、それぞれのセンサ３１１，３１２により得られた輝度情報をカメラマイクロコンピュータ１００に出力する。
【００３６】
カメラマイクロコンピュータ１００は、この輝度情報をＡ／Ｄ変換し、可視光センサ３１１及び赤外光センサ３１２により検出した輝度値の比（輝度比）を光源に関する情報として生成する。
【００３７】
焦点検出回路１０５は、カメラマイクロコンピュータ１００からの信号に従って焦点検出センサ２９に設けられた一対又は複数対のＣＣＤラインセンサの電荷蓄積制御と電荷読み出し制御を行う。そして、それぞれのラインセンサからの画素情報（対のラインセンサ上に形成された２つの像を表す情報）をカメラマイクロコンピュータ１００に出力する。
【００３８】
カメラマイクロコンピュータ１００は、この画素情報をＡ／Ｄ変換し、該画素情報の位相差を検出する。さらに、該位相差に基づいて撮影光学系のデフォーカス量、すなわちフォーカス制御に用いる情報を求める。
【００３９】
ここで、カメラマイクロコンピュータ１００は、後に詳しく説明するように、必要に応じてデフォーカス量の光源に応じた補正（以下、デフォーカス量の光源補正という）を行う。
【００４０】
そして、デフォーカス量（光源補正されてない又は光源補正されたデフォーカス量）と撮影光学系のフォーカス敏感度情報等とに基づいて、合焦を得るためのフォーカスレンズ１２の駆動量（フォーカス駆動モータ１６の駆動量）を算出する。フォーカスレンズ１２の駆動量情報は、レンズマイクロコンピュータ１５０に送信される。レンズマイクロコンピュータ１５０は、受信した駆動量情報に応じてフォーカス駆動モータ１６を制御する。これにより、交換レンズ１１におけるＡＦ制御が行われ、合焦が得られる。
【００４１】
シャッタ制御回路１０７は、カメラマイクロコンピュータ１００からの信号に従ってフォーカルプレンシャッタ８を構成するシャッタ先幕駆動マグネットＭＧ−１及びシャッタ後幕駆動マグネットＭＧ−２の通電制御を行う。これにより、シャッタ先幕及び後幕が走行し、撮像素子９が露光される。
【００４２】
モータ制御回路１０８は、カメラマイクロコンピュータ１００からの信号に従ってミラー駆動モータＭを制御する。これにより、主ミラー２のアップダウン動作とフォーカルプレンシャッタ８のチャージ動作等が行われる。
【００４３】
ＳＷ１は不図示のレリーズボタンの第１ストローク（半押し）操作でＯＮし、測光やＡＦを開始させるスイッチである。
【００４４】
ＳＷ２はレリーズボタンの第２ストローク（全押し）操作でＯＮし、シャッタ走行、すなわち露光動作を開始させるスイッチである。カメラマイクロコンピュータ１００は、スイッチＳＷ１，ＳＷ２の他、不図示の操作部材であるＩＳＯ感度設定スイッチ、絞り設定スイッチ、シャッタ速度設定スイッチ等の各種スイッチの状態を読み取る。
【００４５】
画像サイズ設定部１１２は、ユーザーにより画像サイズ（解像度）を設定するための操作部である。カメラマイクロコンピュータ１００は、画像サイズ設定部１１２の状態を読み取り、撮像素子９によって取得された画像データの圧縮率を変更する。ここでは、画像サイズは、圧縮なしの高解像度（Ｌ）、低圧縮の中解像度（Ｍ）、高圧縮の低解像度（Ｓ）の３種類の設定が可能である。
【００４６】
ＡＦモード設定部１１３は、ユーザーによりＡＦモード（フォーカスモード）を設定する操作部である。カメラマイクロコンピュータ１００は、ＡＦモード設定部１１３の状態を読み取り、ＡＦモードを変更する。ここでは、ＡＦモードとして、通常のＡＦ動作を行う通常ＡＦモードと、動いている被写体に追従して撮影タイミングに合わせてフォーカス位置を予測するサーボＡＦモードの２種類の設定が可能である。なお、ＡＦモードはＡＦを使用する撮影モードと言うこともできる。
【００４７】
液晶表示回路１１１は、ファインダ内表示器２４と外部表示器４２をカメラマイクロコンピュータ１００からの信号に従って制御する。
【００４８】
次に、交換レンズ１１内の電気回路構成について説明する。前述したように、交換レンズ１１はカメラ１とマウント接点１０を介して相互に電気的に接続される。このマウント接点１０は、交換レンズ１１内のフォーカス駆動モータ１６及び絞り駆動モータ１７の電源用接点である接点Ｌ０と、レンズマイクロコンピュータ１５０の電源用接点Ｌ１と、シリアルデータ通信を行うためのクロック用接点Ｌ２とを含む。さらに、カメラ１から交換レンズ１１へのデータ送信用接点Ｌ３と、交換レンズ１１からカメラ１へのデータ送信用接点Ｌ４と、モータ用電源に対するモータ用グランド接点Ｌ５と、レンズマイクロコンピュータ１５０用の電源に対するグランド接点Ｌ６とを含む。
【００４９】
レンズマイクロコンピュータ１５０は、マウント接点１０を介してカメラマイクロコンピュータ１００と接続され、カメラマイクロコンピュータ１００からの信号に応じてフォーカス駆動モータ１６及び絞り駆動モータ１７を制御する。これにより、焦点調節と光量調節が行われる。
【００５０】
５０と５１は光検出器とパルス板である。パルス板５１はフォーカス駆動モータ１６により回転される。パルス板５１が回転すると、光検出器５０は間欠的に検出光を受け、パルス信号を出力する。レンズマイクロコンピュータ１５０は、光検出器５０からのパルス数をカウントすることで、焦点調節時のフォーカスレンズ１２の位置情報を得る。レンズマイクロコンピュータ１５０は、フォーカスレンズ１２の位置情報がカメラマイクロコンピュータ１００から送信されたフォーカスレンズ１２の合焦のための駆動量に一致するようにフォーカス駆動モータ１６を制御する。これにより、焦点調節が行われる。
【００５１】
１８は前述した距離エンコーダであり、ここで読み取られたフォーカスレンズ１２の位置情報はレンズマイクロコンピュータ１５０に入力される。レンズマイクロコンピュータ１５０は、該位置情報を被写体距離情報に変換してカメラマイクロコンピュータ１００に送信する。
【００５２】
次に、図３を用いて、可視光センサ３１１及び赤外光センサ３１２の分光特性を説明する。同図において、横軸は波長（ｎｍ）、縦軸は強度である。また、Ａは可視光センサ３１１の分光感度特性であり、Ｂは赤外光センサ３１２の分光感度特性である。
【００５３】
この図から分かるように、可視光センサ３１１は主に可視光領域の光を検出し、赤外光センサ３１２は主に近赤外光領域にピーク感度を持った長波長領域の光を検出する。
【００５４】
次に、本実施例のカメラシステムのＡＦ動作について、図４のフローチャートを用いて説明する。このＡＦ動作は、主として制御手段としてのカメラマイクロコンピュータ１００がコンピュータプログラムに従って実行する。
【００５５】
図２で示したカメラ１のＳＷ１がＯＮされると、ステップ（図ではＳと略す）１０１から動作を開始する。カメラマイクロコンピュータ１００は、焦点検出回路１０５を含む焦点検出ユニット２６内の焦点検出センサ２９での電荷蓄積を行わせ、撮影光学系の焦点状態に応じた画素情報を生成させる。
【００５６】
ステップ１０２では、カメラマイクロコンピュータ１００は取得した画素情報のずれ（位相差）に基づいて撮影光学系のデフォーカス量を演算する。
【００５７】
ステップ１０３では、カメラマイクロコンピュータ１００は、画像サイズ設定部１１２及びＡＦモード設定値１１３の状態を読み取る。
【００５８】
ステップ１０４では、ステップ１０２で演算したデフォーカス量に対して光源補正を行うか又はそれを禁止（制限）するかの判定基準となる補正判定値を決定する。
【００５９】
ここで、補正判定値の決定方法について図６を用いて説明する。図６は、画像サイズ（解像度）及びＡＦモードに対する補正判定値の例である。この補正判定値のデータは、予めカメラマイクロコンピュータ１００の不図示のＲＯＭテーブルに記憶される。カメラマイクロコンピュータ１００は、ステップ１０３で読み取った画像サイズ及びＡＦモードに対応する補正判定値をＲＯＭテーブルから読み出し、今回の補正判定値として決定する。
【００６０】
一般に、画像サイズの圧縮をしない場合は、許容錯乱円径（許容できるピントぼけ量）は、撮像素子９の画素ピッチの２〜３倍である。例えば、Ｆ：レンズ絞り値＝１．０、画素ピッチ：Ｐ＝７．０μｍとすると、δ：許容錯乱円形は、
δ＝Ｐ×３．０＝７×３．０＝２１．０μｍ
である。これを、デフォーカス量ｄに換算すると、
ｄ＝Ｆ×δ＝１．０×２１．０＝２１．０μｍ
である。
【００６１】
通常ＡＦモードで高解像度（Ｌ）の場合は、画像サイズの圧縮をしないので、光源に応じたデフォーカス量の誤差が２１μｍ以下であれば、補正の必要がない。このため、補正判定値は２１μｍに設定される。
【００６２】
また、中解像度や低解像度の場合は、画像の圧縮率に応じて許容錯乱円径が大きくなるので補正判定値も、通常ＡＦモードで高解像度（Ｌ）の場合より大きく設定する。例えば、中解像度では高解像度の設定値の約１．５倍、低解像度では高解像度の設定値の２．０倍とする。
【００６３】
さらに、ＡＦモードがサーボＡＦモードに設定されている場合は、ＡＦスピードを優先するため、通常ＡＦモードの場合よりも許容錯乱円径を大きくしている。例えば、サーボＡＦモードでは、通常ＡＦモードの設定値の２．０倍とする。
【００６４】
ステップ１０５では、カメラマイクロコンピュータ１００は、レンズマイクロコンピュータ１５０に対して、その交換レンズ（撮影光学系）固有の色収差量データの送信を要求する。この要求は、図２に示すシリアル通信ラインＬＣＫ，ＬＤＯ，ＬＤＩを介してレンズマイクロコンピュータ１５０に送信される。
【００６５】
要求を受けたレンズマイクロコンピュータ１５０は、まずその要求（通信）の内容を解析する。その要求が色収差量データの送信要求であった場合は、撮影光学系の現在の焦点距離とフォーカスレンズ位置とに応じた色収差量データをレンズマイクロコンピュータ１５０内のメモリ（ＲＯＭテーブル）１５０ａから読み出す。すなわち、色収差量データは、交換レンズの個体ごとに、焦点距離とフォーカスレンズ位置とに対応付けられて予め計測され、メモリ１５０ａに保存されている。レンズマイクロコンピュータ１５０は、該色収差量データをシリアル通信ラインＬＣＫ，ＬＤＯ，ＬＤＩを介してカメラマイクロコンピュータ１００に返送する。
【００６６】
ステップ１０６では、カメラマイクロコンピュータ１００は光源検出回路３１を通じて光源に関する情報の検出を行う。光源検出方法については後述する。
【００６７】
さらに、カメラマイクロコンピュータ１００は、ステップ１０２で演算したデフォーカス量に対して光源補正を行うか又はそれを禁止するかを判定する。具体的には、ステップ１０５により取得した撮影光学系の色収差量が、ステップ１０４により決定した補正判定値以下の場合は、デフォーカス量の光源補正は不要（禁止すべき）と判断し、ステップ１１１へ移行する。このステップ１１１への直接の移行（後述するステップ１０７〜）が、制限する
一方、色収差量が補正判定値より大きい場合は、デフォーカス量の光源補正が必要と判断し、ステップ１０７へ移行する。
【００６８】
ステップ１０７及びステップ１０８では、カメラマイクロコンピュータ１００は、光源検出回路３１を駆動し、可視光センサ３１１及び赤外光センサ３１２から輝度情報を読み出す。そして、可視光センサ３１１及び赤外光センサ３１２からの輝度情報の比、すなわち輝度比を計算し、該輝度比（赤外光／可視光）に応じて図７に示すテーブルから、補正係数を読み出す。
【００６９】
図７は、カメラマイクロコンピュータ１００の中のメモリ（ＲＯＭテーブル）１００ａ内に記憶された補正係数データテーブルである。横軸は可視光センサ３１１と赤外光センサ３１２の輝度比を示し、縦軸は補正係数を示す。
【００７０】
ステップ１０９，１１０では、ステップ１０７で取得した色収差量データに対して、ステップ１０８で求めた補正係数を乗じる。さらに、この乗算結果をステップ１０２で求めたデフォーカス量に加算して、光源補正後のデフォーカス量を演算する。
【００７１】
なお、デフォーカス量を補正するとは、新たなデフォーカス量（光源補正後デフォーカス量）を生成することにほかならず、この意味で、本実施例にいう補正するとは、生成すると言い換えることができる。
【００７２】
ステップ１１１では、この光源補正後デフォーカス量が、特定の範囲内である場合は、合焦と判断し、ステップ１１３に進む。光源補正後デフォーカス量が該特定の範囲より大きい場合は、ステップ１１２に進み、この光源補正後デフォーカス量からフォーカスレンズ１２の合焦のための駆動量を演算する。そして、該駆動量情報を前述したシリアル通信ラインＬＣＫ，ＬＤＯ，ＬＤＩを介してレンズマイクロコンピュータ１５０に送信する。
【００７３】
駆動量情報を受けたレンズマイクロコンピュータ１５０は、該駆動量情報に応じてフォーカス駆動モータ１６の駆動方向を決定してフォーカス駆動モータ１６を駆動する。処理はステップ１０１に戻り、ステップ１１１で合焦と判定されるまで前述した各ステップの動作が繰り返される。
【００７４】
ステップ１１３では、ＳＷ２がＯＮか否かを判定する。ＯＮの場合は、図５に示すステップ２０１に進み、撮影動作を行う。ＳＷ２がＯＦＦの場合は、ＡＦ動作の処理を終了する。
【００７５】
次に、図５を用いて撮影動作について説明する。前述のＡＦ動作が終了して、ＳＷ２がＯＮの場合は、カメラマイクロコンピュータ１００は、ステップ２０１において、被写体輝度を測光する測光センサ７からの測光値から被写体輝度ＢＶを求める。そして、被写体輝度ＢＶを設定されたＩＳＯ感度ＳＶと加算して露出値ＥＶを求め、該露出値ＥＶから絞り値ＡＶ及びシャッタ速度ＴＶを算出する。
【００７６】
ステップ２０２では、カメラマイクロコンピュータ１００は、主ミラー２をアップ動作させて撮影光路から退避させる。また、これと同時に、カメラマイクロコンピュータ１００は、レンズマイクロコンピュータ１５０に対して、絞り１５をステップ２０２で決定した絞り値ＡＶに絞り込むように命令する。レンズマイクロコンピュータ１５０は、その指令を受けて絞り駆動モータ１７を駆動する。
【００７７】
その後、主ミラー２が撮影光路から完全に退避すると、ステップ２０３で、カメラマイクロコンピュータ１００は、シャッタ先幕駆動マグネットＭＧ−１に通電し、フォーカルプレンシャッタ８の開放動作を開始させる。
【００７８】
所定のシャッタ開放時間が経過すると、ステップ２０４に進み、カメラマイクロコンピュータ１００は、シャッタ後幕駆動マグネットＭＧ−２に通電して、フォーカルプレンシャッタ８の後幕を閉じる。これにより、撮像素子９の露光が終了する。
【００７９】
ステップ２０５では、主ミラー２をダウン動作させて撮影光路内に配置し、撮影動作を終了する。
【００８０】
以上説明したように、本実施例によれば、交換レンズに記憶された色収差量とカメラ側で設定した補正判定値とを比較することで、検出されたデフォーカス量を光源補正するか否かを決定する。したがって、本来色収差によるデフォーカス量の誤差が少ない交換レンズについてはデフォーカス量の光源補正を行わないようにすることができる。このため、光源補正に係わる演算処理を省略することができ、その結果、ＡＦに関わる処理を高速化し、レリーズタイムラグを少なくすることができる。
【００８１】
しかも、本実施例では、補正判定値を固定値ではなく、撮影画像の解像度（画像サイズ）やＡＦモードに応じた最適な値を用いるので、光源補正の必要／不要（制限）をより正確に判定することができる。
【００８２】
また、サーボＡＦモードでは、より光源補正を行わない方向に補正判定値を変更することで、動きの速い被写体に対しても良好にＡＦ動作を追従させることができる。
【００８３】
なお、上記実施例では、焦点検出結果としてのデフォーカス量を補正する場合について説明したが、本発明はこれに限られない。例えば、デフォーカス量に基づいて算出されるフォーカスレンズ駆動量を補正することもできる。本発明における補正の対象は、デフォーカス量やフォーカスレンズ駆動量といったフォーカス制御に用いられる情報であればどの情報であってもよい。
【００８４】
また、上記実施例では、一眼レフカメラについて説明したが、本発明は、レンズ交換タイプのビデオカメラであって、位相差検出方式ＡＦを行うものにも適用することができる。
【図面の簡単な説明】
【００８５】
【図１】本発明の実施例である一眼レフカメラシステムの構成を示す模式図。
【図２】実施例のカメラシステムにおける電気回路構成を示すブロック図。
【図３】実施例のカメラシステムに用いられる光源検知のための可視光センサと赤外光センサの分光感度特性を示す図。
【図４】実施例のカメラシステムの動作を示すフローチャート。
【図５】実施例のカメラシステムの動作を示すフローチャート。
【図６】実施例のカメラシステムにおける画像サイズとＡＦモードに対する補正判定値を示す表。
【図７】実施例のカメラシステムの赤外光／可視光に対する補正係数を示す図。
【図８】光源と撮像素子と補助光の分光感度を示す図。
【符号の説明】
【００８６】
１  カメラ
３１  光源検出回路
１１  交換レンズ
１２  フォーカスレンズ
２６  焦点検出回路
１００  カメラマイクロコンピュータ
１５０  レンズマイクロコンピュータ
【図３】
2008129467.tif 000003
【図６】
2008129467.tif 000004
【図１】
2008129467.tif 000005
【図２】
2008129467.tif 000006
【図４】
2008129467.tif 000007
【図５】
2008129467.tif 000008
【図７】
2008129467.tif 000009
【図８】
2008129467.tif 000010